(57)【要約】【課題】巻取りドラムから引き出した昇降用コードをカーテン布の背面に沿わせる配置とすることができ、かつ、昇降用コードの移動をドラムの軸方向に誘導することができるたくし上げカーテンの昇降用コード巻取り装置を提供する。【解決手段】ドラム式たくし上げカーテンの昇降用コード巻取り装置１１であり、巻取りドラム８を回転可能に支持するドラムホルダー１２の巻取りドラム８に対してカーテン昇降用コード５が引き出される下部の位置に、巻取りドラム８から引き出されたカーテン昇降用コード５の引き出し位置を規定する誘導部２３を設ける。【選択図】図１
2008125834.tif 000002
【特許請求の範囲】
【請求項１】
回転軸を収納したヘッドレールの内部に、カーテン昇降用コードの巻取りドラムを前記回転軸と一体に回転するよう設け、この巻取りドラムを定位置で回転するようヘッドレールに固定したドラムホルダーで支持し、前記巻取りドラムから引き出したカーテン昇降用コードの下端を、ヘッドレールに吊り下げたカーテン布の下部と連結し、前記回転軸を回転操作して巻取りドラムをコード巻取り方向に回転させることでカーテン布をたくし上げ、また、コード繰り出し方向の回転でカーテン布を下降させるようにしたたくし上げカーテンの昇降用コード巻取り装置において、
前記巻取りドラムに対してカーテン昇降用コードが引き出される下部の位置に、巻取りドラムの軸方向に沿って長さを有し、巻取りドラムから引き出されたカーテン昇降用コードの引き出し位置を規定する誘導部を、巻取りドラムを回転可能に支持するドラムホルダーに設けたことを特徴とするたくし上げカーテンの昇降用コード巻取り装置。
【請求項２】
上記誘導部が、ドラムホルダーの両端壁間に架設した底板に、巻取りドラムの軸方向に沿うよう設けた長いスリットで形成されていることを特徴とする請求項１に記載のたくし上げカーテンの昇降用コード巻取り装置。
【請求項３】
上記誘導部を形成するスリットがヘッドレールの幅方向に複数本並べて設けられていることを特徴とする請求項２に記載のたくし上げカーテンの昇降用コード巻取り装置。
【請求項４】
上記誘導部が、ドラムホルダーの両端壁間に架設した横桟で形成されていることを特徴とする請求項１に記載のたくし上げカーテンの昇降用コード巻取り装置。
【請求項５】
上記誘導部を形成する横桟がヘッドレールの幅方向に複数本並べて設けられていることを特徴とする請求項４に記載のたくし上げカーテンの昇降用コード巻取り装置。
【請求項６】
上記誘導部が、ドラムホルダーに対して着脱可能になっていることを特徴とする請求項１乃至５の何れかに記載のたくし上げカーテンの昇降用コード巻取り装置。
【発明の詳細な説明】
【技術分野】
【０００１】
この発明は、ドラム式たくし上げカーテンのカーテン布を昇降させるため、下端をカーテン布の下部と連結したカーテンの昇降用コードを、巻き取ったり繰り出すために用いるたくし上げカーテンの昇降用コード巻取り装置に関する。
【背景技術】
【０００２】
図６に示すように、たくし上げカーテンは、建物側に固定するヘッドレール１にカーテン布２の上端部を固定し、このカーテン布２の幅方向両側等の複数箇所の位置にテープ３を上下方向に沿って縫着し、各テープ３に上下一定の間隔で合成樹脂や金属製のリング環４を取付け、各テープ３ごとに、上下に並ぶ前記リング環４にカーテン昇降用コード５をそれぞれ通し、各コード５は下端に接続したコードキャッチ６を介してカーテン布２の下部に連結するようにしている。
【０００３】
ドラム式のたくし上げカーテンの昇降用コード巻取り装置は、ヘッドレール１内に収納した回転軸７の各カーテン昇降用コード５と対応する位置に巻取りドラム８を回転軸７と一体に回転するよう設け、ヘッドレール１の端部に取付けた滑車９とこれに巻架して任意の位置で係止できるリング状のチエン１０を用い、チエン１０の操作で回転軸７を回動させてドラム８によるカーテン昇降用コード５の巻取り又は繰り出しにより、カーテン布２を上下動させるようになっている。
【０００４】
従来、ドラム式たくし上げカーテンの昇降用コード巻取り装置は、図５（ｂ）のように、カーテン昇降用コード５を巻取りドラム８の外周から単に下方に引き出すだけの構造になっている。
【０００５】
カーテン布２の昇降を操作するとき、滑車９から垂れ下がるリング状のチエン１０は、室内側に位置する垂れ下がり部分を操作するのが普通であるため、この室内側に位置する垂れ下がり部分の昇降操作の方向とカーテン布２の昇降が一致するようにする必要があり、このため、ヘッドレール１に吊り下げたカーテン布２に対して室外側に臨む位置関係にある巻取りドラム８の場合、昇降用コード５は、巻取りドラム８の室外側に臨む外周から引き出す必要があり、この位置から引き出された昇降用コード５は、カーテン布２の背面で最上部に取付けたリング環４に通してカーテン布２の背面に沿わせることになる。
【発明の開示】
【発明が解決しようとする課題】
【０００６】
上記のような従来の昇降用コード巻取り装置は、巻取りドラム８からの昇降用コード５の引き出し位置がカーテン布２から離れた位置関係になり、このため、昇降用コード５は巻取りドラム８とカーテン布２の間で角度をもち、カーテン布２を少しでも吊り上げると、図５（ｂ）のように、カーテン布２の上部が巻取りドラム８に向けて引かれることになり、特に薄手や軽量のカーテン布２の場合、上部が室外側に屈曲することになり、カーテン布２の吊り下げ状態が見た目に不体裁になるという問題がある。
【０００７】
また、ドラム式たくし上げカーテンにおいては、カーテン布２を最上部にたくし上げたときに、昇降用コード５の略全長を巻取りドラム８に巻き取らなければならず、このため、ドラム８の巻胴を軸方向に長くして、昇降用コード５の略全長を並列する螺旋状の密巻きにするようになっており、このような螺旋の密巻きを得るには、昇降用コード５の巻上げ時や繰り出し時に、昇降用コード５が螺旋巻きによる送り作用で巻取りドラム８の軸方向に移動することになるが、昇降用コード５を巻取りドラム８の外周から単に下方に引き出すだけの構造では、昇降用コード５の移動を巻取りドラム８の軸方向に誘導することができず、このために、昇降用コード５に位置ずれが生じ、巻上げ時に巻取りドラム８の一箇所に昇降用コード５が巻き付いて盛り上がり、巻上げが途中でできない事態が生じるという問題もある。
【０００８】
そこで、この発明の課題は、巻取りドラムから引き出した昇降用コードをカーテン布の背面に沿わせる配置とすることができ、カーテン布の上部が巻取りドラムに向けて引かれて上部が室外側に屈曲することのないようにし、カーテン布の見た目の美観向上を図ることができ、しかも、昇降用コードの移動をドラムの軸方向に誘導することができるたくし上げカーテンの昇降用コード巻取り装置を提供することにある。
【課題を解決するための手段】
【０００９】
上記のような課題を解決するため、この発明の昇降用コード巻取り装置は、回転軸を収納したヘッドレールの内部に、カーテン昇降用コードの巻取りドラムを前記回転軸と一体に回転するよう設け、この巻取りドラムを定位置で回転するようヘッドレールに固定したドラムホルダーで支持し、前記巻取りドラムから引き出したカーテン昇降用コードの下端を、ヘッドレールに吊り下げたカーテン布の下部と連結し、前記回転軸を回転操作して巻取りドラムをコード巻取り方向に回転させることでカーテン布をたくし上げ、また、コード繰り出し方向の回転でカーテン布を下降させるようにしたたくし上げカーテンの昇降用コード巻取り装置において、前記巻取りドラムに対してカーテン昇降用コードが引き出される下部の位置に、巻取りドラムから引き出されたカーテン昇降用コードの引き出し位置を規定する誘導部を、巻取りドラムを回転可能に支持するドラムホルダーに設けた構成を採用したものである。
【００１０】
上記誘導部が、ドラムホルダーの両端壁間に架設した底板に、巻取りドラムの軸方向に沿うよう設けた長いスリットで形成され、この誘導部を形成するスリットがヘッドレールの幅方向に複数本並べて設けられている構造とすることができる。
【００１１】
また、上記誘導部が、ドラムホルダーの両端壁間に架設した横桟で形成され、この誘導部を形成する横桟がヘッドレールの幅方向に複数本並べて設けられている構造とすることができる。
【００１２】
更に、上記誘導部が、ドラムホルダーに対して着脱可能になっている構造とすることができる。
【００１３】
ここで、ヘッドレールは、下面が開口する断面コ字形のアルミ押し出し材で形成され、ドラムホルダーで支持した巻取りドラムを多角形の回転軸が貫通し、この巻取りドラムは、巻胴の両端にフランジを有し、一方端部に昇降用コードの端部を係止する結合部が設けられている。
【００１４】
上記ドラムホルダーは、対向する端壁を両側の側板で結合一体化し、両端壁に設けた軸受孔でドラムの両端を支持し、両端壁間の下部に架設した底板に昇降用コードを引き出すためのスリットが設けられている。
【００１５】
また、ドラムホルダーは、両端壁間の下部に横桟を架設することにより、この横桟に昇降用コードを引っ掛けるようにして引き出すようにする。
【発明の効果】
【００１６】
この発明によると、ドラム式のたくし上げカーテンにおいて、巻取りドラムに対してカーテン昇降用コードが引き出される下部の位置に、巻取りドラムから引き出されたカーテン昇降用コードの引き出し位置を規定する誘導部を設けたので、この誘導部に昇降用コードを通すことで、巻取りドラムから引き出した昇降用コードをカーテン布の背面に沿わせる配置とすることができ、カーテン布の上部が巻取りドラムに向けて引かれて上部が室外側に屈曲することのないようにでき、カーテン布の見た目の美観向上を図ることができる。
【００１７】
また、上記誘導部を巻取りドラムの軸方向に沿って長く形成したので、巻上げ時や繰り出し時に、誘導部で昇降用コードの移動をドラムの軸方向に誘導することができ、このために、昇降用コードの位置ずれの発生がなくなり、巻上げ時にドラムの一箇所に昇降用コードが巻き付いて盛り上がり、巻上げが途中でできない事態の発生を防ぐことができる。
【発明を実施するための最良の形態】
【００１８】
以下、この発明の実施の形態を添付図面に基づいて説明する。
ドラム式のたくし上げカーテンは、図６で示したように、アルミ等を用い、下面が開放する溝形断面に形成されたヘッドレール（シェードレール）１の外面にカーテン布２の上端を一対の面ファスナー等によって取付け、このカーテン布２の幅方向両側等の複数箇所の位置にテープ３を上下方向に沿って縫着し、各テープ３に上下一定の間隔で合成樹脂や金属製のリング環４を取付け、各テープ３ごとに、上下に並ぶ前記リング環４にカーテン昇降用コード５をそれぞれ通し、各コード５は下端に接続したコードキャッチ６を介してカーテン布２の下部に連結されている。
【００１９】
ヘッドレール１内で各カーテン昇降用コード５と対応する位置に昇降用コード５の巻取り装置１１が組み込まれ、各巻取り装置１１でヘッドレール１の長さ方向に沿う回転軸７を支持している。
【００２０】
上記巻取り装置１１は、図１のように、ヘッドレール１内に固定するドラムホルダー１２と、このドラムホルダー１２で回転自在に支持した巻取りドラム８とからなり、上記した昇降用コード５が対応する巻取りドラム８に巻き取られている。
【００２１】
図６で示したように、ヘッドレール１の端部において、回転軸７の端部に滑車９とこれに巻架して任意の位置で係止できるチエン１０を備えたストッパー機構を取付け、チエン１０の操作で回転軸７を回動させて巻取りドラム８によるカーテン昇降用コード５の巻取り又は繰り出しを行うことにより、カーテン布２を昇降動させるようになっている。
【００２２】
上記巻取り装置１１のドラムホルダー１２は、合成樹脂を用い、距離をおいて対向する垂直の端壁１３、１３を両側の側板１４で結合一体化して形成され、両端壁１３、１３に設けた軸受孔１５、１５で巻取りドラム８の両端を回転可能に支持し、一方端壁１３の下部に設けた延長底板１６のねじ孔に押さえ板１７を介してビス１８をねじ込み、延長底板１６と押さえ板１７でヘッドレール１の下部両側にある突条を挟むことにより、ヘッドレール１内に固定化される。
【００２３】
上記巻取りドラム８は、合成樹脂を用い、回転軸７と嵌合して一体に回転するための角孔１９が軸心に沿って貫通する巻胴２０の両端にフランジ２１と、一方端部に昇降用コード５の端部を巻き付け状に係止する結合部２２が設けられ、上記ドラムホルダー１２の両端壁１３、１３に設けた軸受孔１５、１５で巻胴２０の両端が回転可能に支持され、巻胴２０に昇降用コード５の略全長を並列する螺旋状の密巻きにすることができるようになっている。
【００２４】
上記ドラムホルダー１２は、巻取りドラム８に対してカーテン昇降用コード５が引き出される下部の位置に、巻取りドラム８から引き出されたカーテン昇降用コード５の引き出し位置を規定する誘導部２３が設けられている。
【００２５】
図１乃至図３に示す第１の例の誘導部２３は、ドラムホルダー１２の両端壁１３、１３間の下部に架設した底板２４に、巻取りドラム８の軸方向に沿うよう設けた長いスリット２５で形成され、このスリット２５にカーテン昇降用コード５を通すようにする。
【００２６】
このドラムホルダー１２の幅方向（ヘッドレール１の幅方向）に対して、スリット２５を設ける位置は、図３に示すように、底板２４の中央又は底板２４の幅方向の何れか一方に片寄った位置等に設定でき、たくし上げカーテンのヘッドレール１に取付けたカーテン布２と巻取り装置１１の位置関係等に合わせて、これらの中から適応するものを選択して使用すればよい。
【００２７】
また、上記誘導部２３を形成するスリット２５は、ドラムホルダー１２の幅方向に複数本並べて設け、単一構造のドラムホルダー１２でカーテン昇降用コード５の引き出し位置を選択できるようにすることができる。
【００２８】
図４に示す第２の例の誘導部２３は、ドラムホルダー１２の両端壁１３、１３間に架設した横桟２６で形成され、この誘導部２３を形成する横桟２６がドラムホルダー１２の幅方向に複数本並べて設けられ、任意の横桟２６にカーテン昇降用コード５を引っ掛けるようにして通すようにした構造としたものであり、横桟２６は、カーテン昇降用コード５に対して摩擦抵抗の少ない金属や合成樹脂を用いて形成し、また、この横桟２６を回転可能とし、摩擦抵抗の発生を低減するようにしてもよい。
【００２９】
なお、何れの例の誘導部２３も、ドラムホルダー１２に対してビス等で着脱自在に取付け、取換え等に対応できるようにした構造としてもよい。
【００３０】
この発明の巻取り装置は、上記のような構成であり、ヘッドレール１の内部に巻取り装置１１を組み込み、ブラケットを建物構造物に固定することによって開口部の上部にヘッドレール１を固定配置し、例えば、ヘッドレール１の室内側に向く側板に、一対の面ファスナーを用いてカーテン布２を吊り下げ状に取付け、カーテン布２に下端を結合したカーテン昇降用コード５は、巻取り装置１１の巻取りドラム８で巻取るようにする。
【００３１】
上記カーテン昇降用コード５を巻取り装置１１の巻取りドラム８で巻取るとき、たくし上げカーテンのヘッドレール１に取付けたカーテン布２と巻取り装置１１の位置関係等に対応した誘導部２３を備えたドラムホルダー１２を採用するか、カーテン昇降用コード５の誘導部２３からの昇降用コード５の引き出し位置を前記位置関係に対応して設定する。
【００３２】
たくし上げカーテンの昇降操作時に、巻取りドラム８に対して巻取られるか繰り出される、カーテン昇降用コード５は、誘導部２３を通過することになり、図５（ａ）に示すように、カーテン昇降用コード５を誘導部２３に通すことで、カーテン昇降用コード５をカーテン布２に近づけることができ、誘導部２３と最上部に取付けたリング環４の間でカーテン昇降用コード５は垂直に近づき、カーテン布２の上部が巻取りドラム８に向けて引かれて上部が室外側に屈曲することのないようにでき、たくし上げカーテンの見た目の美観向上を図ることができる。
【００３３】
また、巻取りドラム８によるカーテン昇降用コード５の巻取り又は繰り出し時に、カーテン昇降用コード５は、誘導部２３によって巻取りドラム８の長さ方向への移動が可能なように誘導されるが、特に巻取り時に昇降用コード５を螺旋巻きすることで、昇降用コード５に巻取りドラム８の軸方向の送りがかかることになり、このような昇降用コード５の巻取りドラム８の軸方向の送りによる移動を誘導部２３で誘導するので、昇降用コード５の位置ずれの発生がなくなり、巻上げ時に巻取りドラム８の一箇所に昇降用コード５が巻き付いて盛り上がり、巻上げが途中でできない事態の発生を防ぐことができることになる。
【図面の簡単な説明】
【００３４】
【図１】（ａ）はこの発明に係る昇降用コード巻取り装置の使用状態を示す要部切り欠き正面図、（ｂ）は同縦断側面図
【図２】昇降用コード巻取り装置のドラムホルダーに設けた誘導部の第１の例を示す斜視図
【図３】（ａ）乃至（ｃ）は、ドラムホルダーに設けた誘導部の第１の例において、誘導部となるスリットの設ける位置の異なるものを示す底面図
【図４】昇降用コード巻取り装置のドラムホルダーに設けた誘導部の第２の例を示す斜視図
【図５】（ａ）はこの発明に係る昇降用コード巻取り装置と昇降用コードの関係を示す縦断側面図、（ｂ）は従来の昇降用コード巻取り装置と昇降用コードの関係を示す縦断側面図
【図６】従来のドラム式たくし上げカーテンの背面図
【符号の説明】
【００３５】
１        ヘッドレール
２        カーテン布
３        テープ
４        リング環
５        カーテン昇降用コード
６        コードキャッチ
７        回転軸
８        巻取りドラム
９        滑車
１０      チエン
１１      巻取り装置
１２      ドラムホルダー
１３      端壁
１４      側板
１５      軸受孔
１６      延長底板
１７      押さえ板
１８      ビス
１９      角孔
２０      巻胴
２１      フランジ
２２      結合部
２３      誘導部
２４      底板
２５      スリット
２６      横桟
【図１】
2008125834.tif 000003
【図２】
2008125834.tif 000004
【図３】
2008125834.tif 000005
【図４】
2008125834.tif 000006
【図５】
2008125834.tif 000007
【図６】
2008125834.tif 000008